(57)【要約】【課題】建物の床に設けられる床用エキスパンションジョイントの床カバー材を弾性材材料で形成するにあたり、下地の金属板を用いなくともクリアランスに直に取り付けることができるようにする。【解決手段】床面に配された間隙を覆う被覆面部２１と、被覆面部２１の両側に設けられた接続部２２，２２を有する床カバー材を、ゴム弾性を有する材料を用いて帯状に形成する。被覆面部２１の中央には下方へ下向き略Ｖ字形に凹んだ凹面部２３を設け、凹面部２３の両側に縦に長い中空部２４，２４を配置した断面形状に設けるとともに、中空部２４，２４の上下幅（Ｔ）は凹面部２３の形成深さ（Ｄ）の略二倍（Ｔ≒２×Ｄ）となる成形寸法で形成する。【選択図】図３
2019196587.tif 000002
【特許請求の範囲】
【請求項１】
構造物に設けられるエキスパンションジョイントを構成するカバー材であって、構造物の床面に配された間隙を覆う被覆面部と、この被覆面部の両側に設けられていて前記間隙に臨む躯体の端部に設けられた支持部に接続する接続部を有して帯状に形成された床カバー材において、
当該床カバー材は、前記被覆面部から下方へ凹んだ凹面部と、前記被覆面部の下側であって前記凹面部の両側にそれぞれ設けられた中空部を有して弾性変形可能に形成されているとともに、
前記中空部の下部を囲う枠面部の下面と前記被覆面部の上面までの間隔（中空部の上下幅：Ｔ）が前記凹面部の形成深さ（Ｄ）の略二倍（Ｔ≒２×Ｄ）となる成形寸法で前記凹面部と中空部が形成されていることを特徴とするエキスパンションジョイントの床カバー材。
【請求項２】
間隙の幅が広がる方向に躯体が相対変位することにともなう床カバー材の最大伸長量（Ｅｘ）が、前記凹面部の形成深さ（Ｄ）の略二倍（Ｅｘ≒２×Ｄ）となる量に設定されていることを特徴とする請求項１に記載のエキスパンションジョイントの床カバー材。
【請求項３】
構造物に設けられるエキスパンションジョイントを構成するカバー材であって、構造物の床面に配された間隙を覆う被覆面部と、この被覆面部の両側に設けられていて前記間隙に臨む躯体の端部に設けられた支持部に接続する接続部を有して帯状に形成された床カバー材において、
当該床カバー材は、前記被覆面部から下方へ凹んだ凹面部と、前記被覆面部の下側であって前記凹面部の両側にそれぞれ設けられた中空部を有して弾性変形可能に形成されているとともに、
前記両中空部の間に、床カバー材同士を長手方向に沿って接続するときに前記床カバー材の端部間に架け渡される接続部材の取り付け部が形成されていることを特徴とするエキスパンションジョイントの床カバー材。
【請求項４】
被覆面部の両側から凹面部の上端縁部に向けて被覆面部の上面が下り傾斜した形状に設けられていることを特徴とする請求項１から３の何れか一項に記載のエキスパンションジョイントの床カバー材。
【請求項５】
凹面部はその上端の開口幅が狭く、それよりも下側の開口幅の方が広くなるように設けられた構成を有することを特徴とする請求項１から４の何れか一項に記載のエキスパンションジョイントの床カバー材。
【請求項６】
両中空部は、一端が前記凹面部の中央下部から下方へ突出した隔壁部に接続していて他端が被覆面部の両側下面に接続した枠面部に囲われて、その横断面において、上部側の幅が狭く、それよりも下側の幅が広くかつ下方へ膨らんで湾曲した形状に設けられていることを特徴とする請求項１から５の何れか一項に記載のエキスパンションジョイントの床カバー材。
【請求項７】
ゴム弾性を有する材料を用いて形成されてなる請求項１から６の何れか一項に記載のエキスパンションジョイントの床カバー材。
【請求項８】
間隙に臨む躯体の端部に設けられた支持部に接続する床カバー材の接続部は、
中空部を囲う枠面部の側部外面に形成されていて前記支持部の側面に被さって支持部の側面を覆う側面被着部と、
前記枠面部の側部の外側で被覆面部の下面から下方へ突出していて前記支持部のガイド凹部に係合する突起片部と、
被覆面部の幅方向外側に平坦に連なっていて前記支持部の上面に被さって支持部の上面を覆う上面被着部とを有する形状に設けられていることを特徴とする請求項１から７の何れか一項に記載のエキスパンションジョイントの床カバー材。
【請求項９】
請求項１から８の何れか一項に記載の床カバー材と、床カバー材の凹面部内に挿入設置される目地材からなる床カバー体。
【請求項１０】
構造物に設けられるエキスパンションジョイントを構成するカバー材であって、構造物の床面に配された間隙を覆う被覆面部と、この被覆面部の両側に設けられていて前記間隙に臨む躯体の端部に設けられた支持部に接続する接続部を有して帯状に形成されていて、前記被覆面部から下方へ凹んだ凹面部を有して、ゴム弾性を有する材料を用いて弾性変形可能に形成された床カバー材と、
この床カバー材の凹面部内に挿入設置される目地材からなる床カバー体。
【請求項１１】
床カバー材が被覆面部の下側であって凹面部の両側にそれぞれ設けられた中空部を有して形成されていることを特徴とする請求項１０に記載の床カバー体。
【請求項１２】
請求項１から８の何れか一項に記載の床カバー材、若しくは請求項９、請求項１０又は請求項１１に記載の床カバー体と、
構造物の床面に配された間隙に臨む躯体の端部に設けられて前記床カバー材、又は前記床カバー体の床カバー材の接続部が接続する支持部を構成するカバー材支持部材と、
を備えた床用エキスパンションジョイント。
【請求項１３】
カバー材支持部材は、床カバー材の接続部を支持して床カバー材をその長手方向に沿ってスライド可能に支持するガイド凹部を有するレール部材と、
このレール部材と一体に連結して躯体の端部に固定されるホルダー部材を備えた構成を有する請求項１１に記載の床用エキスパンションジョイント。
【請求項１４】
構造物の床面に配された間隙を覆う被覆面部と、この被覆面部の両側に設けられていて前記間隙に臨む躯体の端部に設けられた支持部に接続する接続部を有して帯状に形成されていて、前記被覆面部から下方へ凹んだ凹面部を有して、ゴム弾性を有する材料を用いて弾性変形可能に形成された床カバー材を用いた床用エキスパンションジョイントにおいて、
前記間隙に沿って複数の床カバー材が架設されているとともに、隣り合う床カバー材の端部間に両床カバー材の凹面部内に連結板を挿入して架け渡し、かつこれを凹面部内に固着具で留め付けて、隣り合う床カバー材同士が接続された構成を有することを特徴とする床用エキスパンションジョイント。
【請求項１５】
請求項１３に記載の床用エキスパンションジョイントの施工方法であって、
間隙を挟んで対面する躯体の端部に沿ってホルダー部材を取り付ける工程と、
床カバー材の接続部にレール部材を取り付ける工程と、
前記レール部材が取り付けられた床カバー材を前記ホルダー部材に取り付ける工程と、
を有する床用エキスパンションジョイントの施工方法。
【発明の詳細な説明】
【技術分野】
【０００１】
本発明は、構造物の中に設けられるエキスパンションジョイントの構成要素であり、躯体間に設けられた間隙（以下、「クリアランス」ともいう。）を覆って躯体上面に設けられた床面と一体の床面を形成する床カバー材と、これを用いた床用エキスパンションジョイントの構造に関する。
【背景技術】
【０００２】
大型の建物は、躯体の温度変化や地震のときになどにかかる荷重の影響を避けるため、建造物を複数の躯体に分割して躯体間に間隙を設けて建てられ、各間隙には、間隙の両側の躯体同士を一体に接続したまま躯体が相互に異なる方向に変位してもそれに追随するように構成されたエキスパンションジョイントが設置されている。
【０００３】
従来、建築用エキスパンションジョイントのカバー材は金属製のものが一般的であったが、可動構造が複雑で構成部品が多く、施工に手間を要し、複雑なクリアランス取り合い部に対応がしにくいなどの問題点が指摘されていた。また、金属製のカバー材は重く、天井や壁のエキスパンションジョイントでは、躯体の変動を吸収するのにともなって、万が一、カバー材が取り外れたり落下したりすると居住者や歩行者に当って怪我を誘発する虞がある点が指摘されていた。
そのため、先の震災以降、金属製のカバー材に代えて、施工性が良好で軽量な、合成樹脂材やゴム材で形成したカバー材（以下、「樹脂製カバー材」ともいう。）を採用するエキスパンションジョイントの態様が増えてきている（例えば特許文献１参照）。
【０００４】
しかしながら、樹脂製カバー材はその「柔らかい」という素材特性から、歩行や台車などの通過によって常時その表面に荷重がかかる床面のカバー材、つまり床用のエキスパンションジョイントの床カバー材には汎用的に採用されていないのが現状である。
数少ない採用例としては、例えば、屋外構造物であるプラットホームに発生する熱伸縮や地震による基礎の変位、基礎の不動沈下などを吸収するために設置された床用エキスパンションジョイントで、床カバー材としてプラットホームに設けられたクリアランスに沿って樹脂製カバー材を設置した態様のものがある（例えば特許文献２参照）。
【先行技術文献】
【特許文献】
【０００５】
【特許文献１】特開２００７−９４４９号公報
【特許文献２】特開２００８−３８４７９号公報
【発明の概要】
【発明が解決しようとする課題】
【０００６】
後述のとおり、床用のエキスパンションジョイントに用いる樹脂製の床カバー材は、強度が大きくて撓みにくいことや、可動時に段差ができにくいことなどが必要とされる。
床カバー材の撓み強度を確保するために、床カバー材の下地に金属板を入れることは従来から一般的に行われており、前記プラットホームのエキスパンションジョイントにおいても、クリアランスの内部に金属板を設置し、この金属板の上面で樹脂製カバー材の底部が支持されるように設けられている。
【０００７】
しかしながら、樹脂製カバー材を金属板の上面に載せて支持する態様は次のような問題がある。
すなわち、前記クリアランスの両側の躯体が近づく方向に変位し、大きな可動量でクリアランス間が狭まり、これにともなって樹脂製カバー材が幅方向に縮むと、その表面が盛り上がって凸状の段差ができ、歩行に支障をきたす事態を生じさせる虞がある。また、樹脂製カバー材の収縮時と伸長時の荷重を金属板が担う構造であるため、樹脂製カバー材の可動量が金属板の大きさに依存することとなり、大きな可動量を確保することができない。
【０００８】
また、前記プラットホームのエキスパンションジョイントにおいて、クリアランスが長尺なため、複数本の樹脂製カバー材を継ぎ合わせて設置する場合に、単に樹脂製カバー材の端部同士を接触させて継ぎ合わせただけでは、クリアランスの長手方向に沿って躯体が変位して樹脂製カバー材に変位方向の荷重がかかったときに、樹脂製カバー材の端部同士が継ぎ合わせ部分で衝突して段差ができたり破損したり、或いは樹脂製カバー材が取り外れたりする虞がある。
【０００９】
本発明は従来技術の有するこのような問題点に鑑み、建物の床に設けられる床用エキスパンションジョイントの床カバー材を弾性材材料で形成するにあたり、下地の金属板を用いなくともクリアランスに直に取り付けることができるように耐荷重性能が良好なものにすること、大きなクリアランスと可動量に追従できるようにすること、歩行に支障をきたす凸状の段差ができにくいようにすることを課題とする。また、本発明は、メンテナンス性が良好でエキスパンションジョイントの施工も簡易に行えるようにすることを課題とする。
【課題を解決するための手段】
【００１０】
床用のエキスパンションジョイントの床カバー材に樹脂製カバー材を用いる場合、以下の技術的課題について検討することが不可欠である。
すなわち、第１に強度。
歩行や台車の通過などでその上面にかかる荷重に対して大きな撓みを生ずることなく歩行・通過ができること。
第２に可動。
間隙を挟んだ躯体の間隙Ｘ方向（間隙幅方向）、間隙Ｙ方向（間隙長さ方向）及び間隙Ｚ方向（鉛直方向）の変位に可動追従すること。あわせて、床に求められる可動量、例えばクリアランスに対して間隙Ｘ方向と間隙Ｙ方向は１／４〜１／２程度、間隙Ｚ方向は１／５〜１／３程度の可動量を保持すること。
第３に段差。
通常時に上面に人が躓くような段差がなく、可動時や可動後にも上方へ突出するような段差ができないこと。
第４に施工及びメンテナンス性。
床カバー材の取り付け、取り外しが容易であり、エキスパンションジョイントの施工も手間をかけずに行えること。
【００１１】
このような技術的課題に対し、本発明では以下の仕様・条件をベースに床カバー材を形成することで、弾性材料からなる床カバー材を、建物の床用エキスパンションジョイントに汎用的に用いることができるようにした。
【００１２】
先ず、強度については、人の歩行や台車の走行などによる一般的な耐荷重性能に対して支障のない断面性能を確保しつつ、床カバー材を軽量にするとともに間隙Ｘ方向と間隙Ｚ方向への可動追従性能を付与するべく、床カバー材をその上面の中央部に下方へ凹んだ凹面部を設け、この凹面部の両側部分に縦方向に長く大きい中空断面を配置した形状に設け、弾性を有する材料のみで耐荷重が担保されるようにした。
前記凹面部は、床に面する上部の開口幅を小さくして歩行者が躓いたりピンヒールや傘の先端が刺さったりしないようにし、また、この上部の開口幅よりも凹面部内部の開口幅が大きくなる断面形状、つまり下向き略Ｖ字形に凹んだ断面形状とし、クリアランスを狭める方向に躯体が変位するのにともなって床カバー材が収縮したときに、床カバー材がクリアランス側へ潰れやすくなるようにして、上面に凸状の段差ができないようにした。
【００１３】
可動については、前記のとおり、床カバー材をそ上面の中央部に凹面部、その両側に縦長の中空部を配置した断面形状に設けることで、成形素材そのものの伸びに依存するのではなく、カバー材の断面が変形することで可動するように、つまり、クリアランスが狭まる変位に対しては凹面部と両中空部が潰れて床カバー材が収縮することで、また、広がる変位に対しては前記と反対に、凹面部と両中空部がそれぞれの開口幅を広げて床カバー材が伸長することで必要な可動量が充足されるようにした。
間隙Ｘ方向の可動は、前記クリアランスに対しては１／４〜１／２程度の可動量を確保するため、凹面部の形成深さ（Ｄ）と両中空部の縦方向の長さ（Ｔ）を所定の寸法比率に設けることで（図３参照）、建物の床面に設けるエキススパンションジョイントに要求される変動量に対応できるようにした。
間隙Ｙ方向の可動は、クリアランスに面する構造物に取り付けられた支持部に対して、床カバー材の両側の接続部を支持部に係合させてスライド自在に取り付け、また、床カバー材の両側の接続部のうちの片方を前記支持部に固定することで、クリアランスを挟む躯体相互の間隙Ｙ方向への変位に対応して同方向への可動がなされるようにした。
また、間隙Ｚ方向の可動は、下地として金属板を設けないことで、床カバー材が躯体相互の同方向の変位に追従して可動するようにし、前記支持部に対する接続部の係合深さを十分に確保することで、可動したときに前記支持部にスライド自在に取り付けられた側の接続部が取り外れることがないようにした。
【００１４】
ここで、前記床カバー材の接続部の構造物に取り付けられた支持部への係合深さは、係合部位が深すぎると（長すぎると）、間隙Ｙ方向への抵抗が大きくなり、施工性も悪くなって装置全体の重量も重くなる。他方、浅すぎると（短すぎると）、間隙Ｚ方向に外れやすくなり、床カバー材に下向きの荷重がかっかたときも外れる虞がある。後述するように、床カバー材の両側の接続部の一方は支持部に固定されるが、係合部位が浅すぎると、接続部と支持部にビスを打ち込めなくなるなどの支障も生じる。かかる見地から、間隙Ｙ方向への可動性を損なわず、間隙Ｚ方向への可動性も確保し、かつ同方向に抜け外れず、しかも良好な施工性を確保するべく、接続部の支持部との係合深さ（ＴＰ）は、床カバー材の高さ、つまり前記両中空部の縦方向の長さ（Ｔ）の略１／２となるように設定した（図３参照）。
【００１５】
段差については、床カバー材の上面をその両側から前記凹面部に亘って下り傾斜した形状に設けることで、クリアランスが狭まる方向に躯体が変位して床カバー材が収縮したときに、凹面部の形成位置を起点として、床カバー材の上面が下向きに弾性変位し、クリアランス内に向けて潜り込むように変形させることで、可動時に床カバー材内に凸状の段差ができないようにした。
また、クリアランスに沿って床カバー材同士を継ぎ合わせたときに、クリアランスの長手方向の躯体の変位にともなって隣り合う床カバー材の端部同士が衝突して端部が上方へ捲れて段差が生じるのを防ぐため、前記両中空部の間に、床カバー材同士を長手方向に沿って接続するときに前記床カバー材の端部間に架け渡される接続部材の取り付け部を形成し、隣り合う床カバー材の端部の取り付け部に接続部材を取り付けて端部同士を接続し、床カバー材の長手方向の接続位置を揃え、前記クリアランスの長手方向の躯体の変位が生じたときは、隣り合う床カバー材同士が一体となって可動するように構成した。
また、クリアランスに面する躯体の端部は、床カバー材の支持部を構成するアルミ型材で見切り、クリアランスに床カバー材を取り付けた状態で、この見切りより床カバー材の側端部を同じ高さかそれよりも低く設けることで、クリアランスに連なる床面に段差ができないようにした。
【００１６】
また、メンテナンス性については、床カバー材の接続部が接続する躯体の端部に取り付けられる支持部を、ともにアルミ型材からなる、床カバー材の接続部が係合するレール部材と躯体に固定されるホルダー部材の二つの部材で形成し、床カバー材をレール部材に取り付けた後、このレール部材を躯体に固定されたホルダー部材に固定して、レール部材に沿って床カバー材が可動するように構成した。また、レール部材をホルダー部材に固定するには、レール部材に取り付けた床カバー材の側端部を捲り上げることにより露出するレール部材のビス孔から留めネジをホルダー部材に留め付けることで行われるようにした。メンテナンスの際は前記留めネジを抜き外すことで、床カバー材がレール部材とともにホルダー部材から取り外すことができるようにし、床上でメンテナンス作業が行えるようにした。また、前記ビス孔が床カバー材の側端部で覆われるようにすることで、床カバー材を取り付けた部分の意匠性が損なわれないようにした。
【００１７】
このような解決手段を採用した本発明の床カバー材と床用エキスパンションジョイントの具体的な形態は以下のとおりである。
すなわち、本発明の床カバー材は、構造物に設けられるエキスパンションジョイントを構成するカバー材であって、構造物の床面に配された間隙を覆う被覆面部と、この被覆面部の両側に設けられていて前記間隙に臨む躯体の端部に設けられた支持部に接続する接続部を有して帯状に形成された床カバー材において、
当該床カバー材は、前記被覆面部から下方へ凹んだ凹面部と、前記被覆面部の下側であって前記凹面部の両側にそれぞれ設けられた中空部を有して弾性変形可能に形成されているとともに、
前記中空部の下部を囲う枠面部の下面と前記被覆面部の上面までの間隔（中空部の上下幅：Ｔ）が前記凹面部の形成深さ（Ｄ）の略二倍（Ｔ≒２×Ｄ）となる成形寸法で前記凹面部と中空部が形成されていることを特徴とする。
【００１８】
これによれば、床カバー材がその被覆面部の中央部に下方へ凹んだ凹面部、その両側の被覆面部の下側に中空部をそれぞれ配置した断面形状に設けてあるので、間隙が狭まる方向の変位に対しては、前記凹面部と両中空部が潰れて床カバー材が同方向に収縮変形することで、また、広がる方向の変位に対しては、凹面部と両中空部がそれぞれの開口幅を広げて床カバー材が同方向に伸長変形することで、間隙を挟む躯体相互の変位を吸収することができる。
そして、凹面部の形成深さ（Ｄ）と、両中空部の上下幅（Ｔ）を、〔Ｔ≒２×Ｄ〕となる寸法比率で形成することで、弾性を有する材料のみで耐荷重を担保することが可能となり、また、間隙が広がる方向に変位したときの可動量が大きく確保され、同方向に床カバー材が可動したときに、耐荷重強度を低下させることなく、かつ被覆面部内に段差を生じさせずにスムーズに伸長変形せしめることが可能となる。
具体的には、前記の如く床カバー材を形成することにより、間隙の幅が広がる方向に躯体が相対変位することにともなう床カバー材の最大伸長量（Ｅｘ）を、前記凹面部の形成深さ（Ｄ）の略二倍（Ｅｘ≒２×Ｄ）となる量に設定することができる。
【００１９】
また、本発明の床カバー材は、その被覆面部から下方へ凹んだ凹面部と、前記被覆面部の下側であって前記凹面部の両側にそれぞれ設けられた中空部を有して弾性変形可能に形成されているとともに、
前記両中空部の間に、床カバー材同士を長手方向に沿って接続するときに前記床カバー材の端部間に架け渡される接続部材の取り付け部が形成されていることを特徴とする。
【００２０】
この取り付け部は、両中空部の間であって凹面部の下側に形成された、ジョイントピンが挿入する挿通孔として形成することができ、長尺な間隙に複数本の床カバー材を継ぎ合わせて設置する場合に、隣り合わせの床カバー材の端部同士をそれぞれの挿通孔にジョイントピンを挿入して接続することで、床カバー材同士がそれぞれ長手方向の接続位置を揃えて取り付けられ、間隙の長手方向の躯体の変位が生じたときは隣り合う床カバー材同士が一体となって可動し、隣り合う床カバー材の端部同士が衝突して端部が上方へ捲れて段差が生じることを防止することができる。
また、床カバー材の凹面部内に連結板を挿入し、これを隣り合う床カバー材の端部間に架け渡し、凹面部上方から留めネジを連結板にネジ入れ、前記挿通孔を貫通させて連結板を隣り合う床カバー材の端部に留め付けてもよい。留めネジをネジ入れるときに、中空な挿通孔がガイドとなって留め付け作業がしやすくなる。
前記挿通孔に代わる取り付け部として、凹面部の下面から両中空部の間の部分に凹ませて設けられた凹部としてもよく、この凹部に隣り合う床カバー材の端部間に架け渡されるジョイントピンを挿入し、或いは凹部に重ねて連結板を留め付けて、床カバー材の端部同士の継ぎ合わせが行われるようにしてもよい。
【００２１】
上記構成の床カバー材において、被覆面部の両側から凹面部の上端縁部に向けて被覆面部の上面が下り傾斜した形状に設けられていることを特徴とする。
【００２２】
これによれば、間隙が狭まる方向に躯体が変位し、床カバー材が収縮変形したときに、凹面部の形成位置を起点として、床カバー材の上面である被覆面部が下向きに弾性変形し、間隙内に向けて潜り込むように変形させることができる。床カバー材の可動時の変形が上記の如く規制されるので、変形にともなって凸状の段差が被覆面部内にできることはなく、床カバー材の可動時や可動後に床面の歩行に支障を来すことはない。
【００２３】
また、前記凹面部はその上端の開口幅が狭く、それよりも下側の開口幅の方が広くなるように設けられた構成を有することを特徴とする。
【００２４】
これによれば、凹面部がその上側よりも下側の方が広い開口幅となるように、つまり下向き略Ｖ字形の断面形状に設けられているので、間隙を狭める方向に躯体が変位するのにともない床カバー材が収縮変形したときに、床カバー材が間隙側へ潰れやすくなり、被覆面部内に段差ができることをより効果的に防ぐことができる。
【００２５】
また、前記両中空部は、一端が前記凹面部の中央下部から下方へ突出した隔壁部に接続していて他端が被覆面部の両側下面に接続した枠面部に囲われて、その横断面において、上部側の幅が狭く、それよりも下側の幅が広くかつ下方へ膨らんで湾曲した形状に設けられていることを特徴とする。
【００２６】
これによれば、床カバー材を、その成形材料そのものの伸びに依存することなく、大きな間隙と可動量に追従したものに形成することができる。
すなわち、両中空部は、その周囲が被覆面部の下面と隔壁部の内面と枠面部の内面に囲われており、床カバー材が収縮又は伸長変形するときに、中空部は、被覆面部の下面と枠面部の端部との接続部及び枠面部の他端部と隔壁部との接続部の変形、つまり周囲を囲う面と面の分岐部である節の部分が変形することで潰れたり中空内部を広げたりする。節の部分が変形することで床カバー材が伸長したときの耐荷重の低下が抑えられ、間隙の幅が広がることに追従して凹面部とその両側の中空部の幅を効率良く広げて床カバー材を伸長させることが可能となる。
【００２７】
前記構成の床カバー材の成形材料は、弾性材料を用いることができ、ゴム弾性を有する材料、例えばゴム材や合成樹脂材、エラストマーなどを用いることが好ましく、熱可塑性エストラマーを用いることがより好ましい。
【００２８】
また、本発明の床カバー材は、間隙に臨む躯体の端部に設けられた支持部に接続する床カバー材の接続部を、
前記中空部を囲う枠面部の側部外面に形成されていて前記支持部の側面に被さって支持部の側面を覆う側面被着部と、
前記枠面部の側部の外側で被覆面部の下面から下方へ突出していて前記支持部のガイド凹部に係合する突起片部と、
被覆面部の幅方向外側に平坦に連なっていて前記支持部の上面に被さって支持部の上面を覆う上面被着部と、を有する形状に設けられていることが好ましい。
【００２９】
これによれば、床カバー材は、その接続部に設けられた側面被着部を躯体端部に設けられた支持部の側面に被せ、かつ突起片部を支持部のガイド凹部に係合させて、接続部を支持部に装着することで取り付けることができ、側面被着部の支持部の側面に被せる深さと、突起片部のガイド凹部への係合（嵌め合わせ）深さを大きく設定することで、床カバー材に上方から大きな荷重がかかったり間隙の両側の躯体が間隙Ｚ方向に沿って変位することにともない床カバー材が可動したりしても、接続部が支持部から取り外れるようなことはなく、大きな耐荷重強度を確保することができる。また、床カバー材の被覆面部に連ねて幅方向外側に伸びた上面被着部により、床カバー材を支持部に取り付けたときに上面被着部で支持部の上面を覆って床面上に露出しないようにすることができる。
【００３０】
前述のとおり、床面には、人の歩行や台車の通過などによって、常時その表面に荷重がかかる。このような荷重に対する強度をより高めるため、前記構成の床カバー材と、床カバー材の凹面部内に挿入設置される目地材とで床カバー体を構成し、これを床面の躯体間隙に設置してエキスパンションジョイントを構成することが好ましい。目地材は、床カバー材と同様に、ゴム弾性を有する材料を用いて成形することができる。
【００３１】
また、本発明の床用エキスパンションジョイントは、前記構成の床カバー材又は前記構成の床カバー体と、構造物の床面に配された間隙に臨む躯体の端部に設けられて前記床カバー材、又は床カバー体の床カバー材の接続部が接続する支持部を構成するカバー材支持部材と、を備えた構成を有することを特徴とする。
前記カバー材支持部材は、床カバー材の接続部を支持して床カバー材をその長手方向に沿ってスライド可能に支持するガイド凹部を有するレール部材と、このレール部材と一体に連結して構造物の端部に固定されるホルダー部材を備えて構成することができる。カバー材支持部材を構成するレール部材とホルダー部材は、ともに例えばアルミ型材により形成することができる。
【００３２】
前記構成の床用エキスパンションジョイントは、間隙を挟んで対面する躯体の端部に沿ってホルダー部材を取り付ける工程と、床カバー材の接続部にレール部材を取り付ける工程と、前記レール部材が取り付けられた床カバー材を前記ホルダー部材に取り付ける工程と、からなる施工方法により設置することができる。
具体的には、レール部材とホルダー部材でカバー材支持部材を構成する場合、例えば以下の工程により施工することができる。
先ず、間隙を挟んで対面する両躯体の端部に沿ってホルダー部材をそれぞれ固定する。ホルダー部材の固定は、躯体端部に重ねたホルダー部材にアンカーボルトを打ち込むなどして行うことができる。
次いで、床カバー材の両側の接続部にレール部材をそれぞれ取り付ける。取り付けは、レール部材のガイド凹部に接続部を係合させることにより行わる。接続部が側面被着部と突起片部を備えた形状の床カバー材では、レール部材のガイド凹部に突起片部を差し込むとともにガイド凹部の外面に側面被着部を覆い被せて装着することでレール部材を取り付けることができる。
このとき、レール部材が取り付けられた床カバー材の両接続部の片方を、前記突起片部が係合したガイド凹部にその外側からビスを打ち込むなどしてガイドレールに固定する。接続部のもう片方は突起片部とレール部材がスライド変位し得るようしておく。
そして、床カバー材の両接続部に取り付けられたレール部材を、前記間隙の両側に固定されたホルダー部材にそれぞれ接続して、間隙の両側の躯体間に床カバー材を架け渡して取り付けることで床用エキスパンションジョイントの施工が完了する。
【００３３】
前記のとおり、本発明の床カバー材は、弾性変形可能に形成された床カバー材の被覆面部に凹面部を形成し、さらに、被覆面部の下側であって前記凹面部の両側に中空部を配置した断面形状に設けることで、間隙Ｘ方向に沿って広がる変位に対して、凹面部と両中空部がそれぞれの開口幅を広がるように変形して床カバー材が伸長することで必要な可動量が充足されるようにしている。
しかしながら、エキスパンションジョイントが設置される躯体間隙の幅によっては、要求される間隙Ｘ方向の可動量が小さく、被覆面部に形成された凹面部がその開口幅を広げることで間隙Ｘ方向に沿って広がる変位を吸収することができる場合がある。その場合、前記凹面部の両側に中空部を配置した形状でなくとも、前記凹面部が潰れ又は広がることで間隙Ｘ方向の変位を、床カバー材の接続部が躯体端部に設けられた支持部に沿ってスライド移動し得るように取り付けられていることで間隙Ｙ方向の変位を、同じく床カバー材の接続部が両躯体の支持部に対してある程度上下方向に変位が生じて外れないように取り付けられていることで間隙Ｚ方向の変位をそれぞれ吸収することは可能である。ただし、この場合でも、床面の表面に常時かかる荷重に対する強度は高くしておく必要がある。
【００３４】
よって、要求される間隙Ｘ方向の可動量によっては前述の床カバー材に代えて、構造物に設けられるエキスパンションジョイントを構成するカバー材であって、構造物の床面に配された間隙を覆う被覆面部と、この被覆面部の両側に設けられていて前記間隙に臨む躯体の端部に設けられた支持部に接続する接続部を有して帯状に形成されていて、前記被覆面部から下方へ凹んだ凹面部を有して、ゴム弾性を有する材料を用いて弾性変形可能に形成された床カバー材を用い、この床カバー材の凹面部内に挿入設置される目地材との組み合わせで床カバー体を構成し、これを床面の躯体間隙に架け渡して床用エキスパンションジョイントが構成されるようにしてもよい。
【００３５】
この場合の床カバー材は、前記床カバー材と同様に、間隙Ｘ方向に沿って収縮したときに被覆面部内に段差ができないように、被覆面部の両側から凹面部の上端縁部に向けて被覆面部の上面が下り傾斜した形状に設けられていることが好ましく、また、凹面部はその上端の開口幅が狭く、それよりも下側の開口幅の方が広くなるように設けられていることが好ましい。もちろん、要求される可動量に応じて、床カバー材が被覆面部の下側であって凹面部の両側にそれぞれ中空部が設けられた断面形状としてもよい。
また、間隙に臨む躯体の端部に設けられた支持部に接続する床カバー材の接続部は、前記と同様に、床カバー材の側部外面に形成されていて前記支持部の側面に被さって支持部の側面を覆う側面被着部と、側部の外側で被覆面部の下面から下方へ突出していて前記支持部のガイド凹部に係合する突起片部と、被覆面部の幅方向外側に平坦に連なっていて前記支持部の上面に被さって支持部の上面を覆う上面被着部とを有する形状に設けることができる。
また、前記と同様に、床カバー材と目地材はともにゴム弾性を有する材料を用いて成形することができる。
また、前述の床カバー材同士を継ぎ合わす別の態様の床用エキスパンションジョイントとして、構造物の床面に配された間隙を覆う被覆面部と、この被覆面部の両側に設けられていて前記間隙に臨む躯体の端部に設けられた支持部に接続する接続部を有して帯状に形成されていて、前記被覆面部から下方へ凹んだ凹面部を有して、ゴム弾性を有する材料を用いて弾性変形可能に形成された床カバー材を用い、
前記間隙に沿って複数の床カバー材が架設されているとともに、隣り合う床カバー材の端部間に両床カバー材の凹面部内に連結板を挿入して架け渡し、かつこれを凹面部内に固着具で留め付けて、隣り合う床カバー材同士が接続された構成を有するものとしてもよい。
【００３６】
本発明の床用エキスパンションジョイントによれば、地震などにより間隙の両側の躯体が相対変位し、間隙の伸縮やずれが生じた場合、両躯体の間隙Ｘ方向の変位は床面カバー材が収縮又は伸長変形することで吸収し、間隙Ｙ方向の変位は床面カバー材が両躯体にそれぞれ取り付けられた支持部に沿ってスライド移動して吸収することができる。また、両躯体の間隙Ｚ方向の変位は、両躯体の同方向の相対変位に追随して床カバー材が弾性変形することで吸収することができる。
間隙Ｘ方向とＺ方向の変位は床カバー材が変位方向に追従して収縮又は伸長変形することで、また、Ｙ方向の変位は床カバー材が同方向に沿ってスライド移動して吸収することができるので、間隙を挟んで両躯体がＸ，Ｙ及びＺの何れの方向に相対変位しても、床カバー材で間隙を覆った床面内に、間隙が露出した欠損部ができることはない。また、床カバー材が間隙Ｘ方向に沿って収縮したときにその被覆面部が凹面部を起点として下向きに変形するように設けられているので、被覆面部内に凸状の段差ができることはない。躯体の変位が生じた後でも床面は平坦に維持され、歩行者が欠損部に足を踏み入れたり段差部に躓いたりする危険はなく、歩行の安全性を確保することが可能である。また、床カバー材の凹面部内に目地材を挿入設置した構成であれば、上方からかかる荷重に対する強度をより高くすることが可能である。
【図面の簡単な説明】
【００３７】
【図１】本発明の床用エキスパンションジョイントの一実施形態の概略構成を示した断面図である。
【図２】図１の床カバー材の要部外観図である。
【図３】図２の床カバー材の拡大端面図である。
【図４】図２の床カバー材を継ぎ合わせて設置する態様を示した図である。
【図５】図１のレール部材の要部外観図である。
【図６】図１のホルダー部材の要部外観図である。
【図７】図１の目地部材の拡大断面図である。
【図８】床カバー材の接続部にレール部材を取り付けた状態の要部を断面で示す外観図である。
【図９】レール部材をホルダー部材に取り付けるときの態様を示した図である。
【図１０】本発明の床用エキスパンションジョイントの他の実施形態の概略構成を示した図である。
【図１１】図１０のホルダーカバー材の要部外観図である。
【図１２】図１０のホルダーカバー材を取り付けるときの態様を示した図である。
【図１３】図１０のホルダーカバー材を取り外すときの態様を示した図である。
【図１４】床と内壁の取り合い部分の間隙に取り付けた床用エキスパンションジョイントの実施形態の概略構成を示した図である。
【図１５】図１４の取り合い部分に取り付けられるホルダー部材の拡大端面図である。
【図１６】床と内壁の取り合い部分の間隙に取り付けた床用エキスパンションジョイントの他の実施形態の概略構成を示した図である。
【図１７】床カバー材の端部同士を接続するときの他の態様を示した図である。
【図１８】図１７の連結板を床カバー材に取り付けた状態の端面図である。
【図１９】図１７の連結板で接続される床カバー材に取り付けられる目地材の要部外観図である。
【発明を実施するための形態】
【００３８】
本発明の好適な実施形態を図面に基づいて説明する。なお、本発明の技術的思想は、以下に説明する実施形態に限定されるものではない。
【００３９】
図１は本発明の一実施形態の床用エキスパンションジョイントを示している。この床用エキスパンションジョイント１は、建物の床面Ｆに配された間隙Ｇを隔てて同じ高さで相対する躯体Ａの床面Ｆａと躯体Ｂの床面Ｆｂの間に、床カバー材２を架け渡して間隙Ｇを覆うとともに、前記床面Ｆａと床面Ｆｂを一続きに接続したものである。
【００４０】
詳しくは、図示した床用エキスパンションジョイント１は、間隙Ｇの開口上面を覆う床カバー材２と、間隙Ｇに臨む躯体Ａと躯体Ｂの端部に設けられた支持部３，３と、後述する床カバー材２の凹面部２３内に挿入設置される目地材４とを備え、床カバー材２の両側を支持部３，３で支持して間隙Ｇを床カバー材２で覆うとともに、地震などで躯体Ａ，Ｂが相対変位して間隙Ｇの伸縮やずれが生じたときに、前記変位に追従して床カバー材２が弾性変形し或いは支持部３，３に沿ってスライド移動することで変位を吸収し、床面Ｆが欠損部のない平坦な面に維持されるように構成されている。
【００４１】
床カバー材２は、ゴム弾性を有する材料、好ましくは熱可塑性エラストマーを用いて弾性変形可能に形成された部材であり、図２及び図３に示されるように、間隙Ｇを覆う幅を有する被覆面部２１と、被覆面部２１の両側に設けられていて前記支持部３，３に接続する接続部２２，２２を有して帯状に形成してある。被覆面部２１と接続部２２，２２はともに床カバー材２の長手方向沿って連続して形成してある。なお、以下の説明において、床カバー材２の両側、或いは被覆面部２１の両側というときには、床カバー材２の短手幅方向に沿った両側部分を意味する。
【００４２】
より詳しくは、被覆面部２１の中央部には、当該被覆面部２１の上面から下方へ凹んだ凹面部２３が設けられ、また、被覆面部２１の下側であって前記凹面部２３の両側には中空部２４，２４を配置した形状に設けてある。
【００４３】
前記凹面部２３は、その上端の開口幅が狭く、それよりも下側の開口幅が広くなる下向き略Ｖ字形に開口した断面形状に形成されており、また、被覆面部２１は両側から凹面部２３の上端縁部に向けて当該被覆面部２１の上面が下り傾斜した形状に設けてある。
【００４４】
中空部２４，２４は、それぞれ一端が凹面部２３の中央下部から下方へ突出した隔壁部２５に接続していて他端が被覆面部２１の両側下面に接続した枠面部２６，２６に囲われて、その横断面において、上部側の幅が狭く、それよりも下側の幅が広くかつ下方へ膨らんで湾曲した形状に設けてある。また、中空部２４，２４は、図３に示されるように、中空部２４，２４の下部を囲う枠面部２６，２６の下面と被覆面部２１の上面までの間隔（中空部２３の上下幅：Ｔ）が、凹面部２３の形成深さ（Ｄ）の略二倍（Ｔ≒２×Ｄ）となる成形寸法に設けてある。
【００４５】
床カバー材２の両側に設けられた接続部２２，２２は、前記中空部２４を囲う枠面部２６の側部外面に形成されていて後述する支持部３のレール部材３１の側面に被さってレール部材３１の側面を覆う側面被着部２７と、前記枠面部２６の側部の外側で被覆面部２１の下面から下方へ突出していてレール部材３１のガイド凹部３１ｄに係合する突起片部２８と、被覆面部２１の幅方向外側に平坦に連なっていて床カバー材２をレール部材３１に取り付けた状態でレール部材３１の上面に被さって覆う上面被着部２９とを備えた形状に設けてある。
【００４６】
図３に示されるように、枠面部２６の側部外面に形成された側面被着部２７は、後述するレール部材３１の凸面部３１ｊに重なる凹状面２７ａとレール部材３１の鍵状面部３１ｅの下端に係合する凸状面２７ｂを有し、レール部材３１のガイド凹部３１ｄ内に突起片部２８を差し込んだ状態で、レール部材３１の側面全体に重なって装着されるように設けてある。側面被着部２７と突起片部２８はその表面に突筋２７ｃ，２８ａ，２８ａがそれぞれ形成され、側面被着部２７の突筋２７ｃがレール部材３１の鍵状面部３１ｅの側面に、突起片部２８の突筋２８ａ，２８ａがガイド凹部３１ｄの内面に、それぞれ線状に接合することで、レール部材３１に沿って床カバー材２がスライド移動するときの摺動抵抗が少なくなるように設けてある。また、被覆面部２１の上面から突起片部２８の下端までの長さ（ＴＰ）は、前記被覆面部２１の上面と中空部２４の下部を囲う枠面部２６の下面までの間隔（Ｔ）の略１／２（ＴＰ≒１／２Ｔ）に設けて、突起片部２８の突出長さを長く設定してあり、突起片部２８をレール部材３１のガイド凹部３１ｄに差し込んで係合させた状態で突起片部２８とガイド凹部３１ｄの嵌め合わせ深さが大きくなり、被覆面部２１内に下向きの荷重がかかっても、突起片部２８がガイド部材３１から外れにくいようになっている。
【００４７】
前記凹面部２３の下側に連なる隔壁部２５には、床カバー材２，２同士を長手方向に沿って接続するときに床カバー材２の端部間に架け渡されるジョイントピン５の取り付け部である挿通孔２５ａが形成してある。これは、図４に示されるように、間隙Ｇをその長手方向に沿って複数の床カバー材２同士を継ぎ合わせて設置する場合に、隣り合う床カバー材２の端部同士を、それぞれの挿通孔２５ａ，２５ａにジョイントピン５を挿入して接続することで、床カバー材２，２同士がそれぞれ長手方向の接続位置を揃えて取り付けられるようにし、また、間隙Ｇの長手方向に沿って躯体Ａ，Ｂの相対変位が生じたときに隣り合う床カバー材２，２同士が一体となって可動するようにしたものである。挿通孔２５ａの内面には、挿入されたジョイントピン５の外周面との接触抵抗が小さくなるように、周方向に沿って凹凸筋が設けてある。
【００４８】
また、床カバー材２の被覆面部２１の上面全体には防滑のための凹凸面が設けられ、凹面部２３の上面にも凹凸面を設けてある。
【００４９】
躯体Ａ，Ｂの端部に設けられた支持部３，３は、ともにアルミ型材により形成されたレール部材３１とホルダー部材３２からなるカバー材支持部材により形成されている。
【００５０】
カバー材支持部材を構成するレール部材３１は、図５に示されるように、主面部３１ａの一側にその上下端部から屈曲した上面部３１ｂと下面部３１ｂを突出させるとともに、主面部３１ａの他側の側面に当該側面から外方へ突出して上方へ鍵状に折れ曲がっていて主面部３１ａとの間に前記床カバー材２の突起片部２８が差し込まれて係合するガイド凹部３１ｄを形成する鍵状面部３１ｅを一体に設けて形成してある。
前記上面部３１ｂと下面部３１ｃには、後述する留めネジやビスなどの固着具１０を上面部３１ａから下面部３１ｃに貫通させてホルダー部材３２に螺合するための孔部３１ｆ，３１ｇが形成してある。孔部３１ｆは固着具１０の頭部が貫通する大きさ、孔部３１ｇは固着具１０の軸部のみが貫通する大きさに設けてある。また、主面部３１ａには床カバー材２を接続するための固着具１０の軸部が挿通する孔部３１ｈを形成してある。また、前記上面部３２ｂの上面には床カバー材２との摺動抵抗を小さくするための突筋３１ｉを列設してあり、鍵状面部３１ｅには側方へ湾曲した凸面部３１ｊを設けてある。この凸面部３１ｊは、レール部材３１，３１をその端部同士を継ぎ合わせて接続する場合に、両端部の前記凸面部３１ｊの内面にジョイントピン５を挿入して架け渡すことができるように設けてある。
前記各孔部３１ｆ，３１ｇ，３１ｈはレール部材３１の長さ方向に沿って所定間隔を開け、複数形成してある。
【００５１】
また、ホルダー部材３２は、図６に示されるように、躯体Ａ，Ｂの端部に固定される取り付け面部３２ａの一側の端部に、上方へ突出した縦支持面部３２ｂと側方へ突出した横支持面部３２ｃを一体に設けて形成してある。
取り付け面部３２ａは、その面内に後述するアンカーボルト６の軸部が挿通する孔部３２ｄが形成してあり、横支持面部３２ｃにも後述する固着具１０の軸部が挿通する孔部３２ｅが形成してある。両孔部３２ｄ、３２ｅは、ホルダー部材３２の長さ方向に沿って所定間隔を開け、複数形成してある。
縦支持面部３２ｂの上部には前記レール部材３１の上面部３１ｂの縁部が係合する凹部３２ｆが形成してあり、横支持面部３２ｃの下面には後述する補助シート９の端部が取り付けられるシート接続凹部３２ｇを設けてある。
また、取り付け面部３２ａの前記縦横の支持面部３２ｂ、３２ｃが設けられた側の端部には、断面略Ｃ字形に屈曲していてホルダー部材３２，３２を継ぎ合わせて設置する場合に用いるジョイントピン５の挿入枠３２ｈを設けてあり、他側の端部には上方へ立ち上がりつつ内方へ湾曲した内折れ部３２ｉが設けてある。前記挿入枠３２ｈの縁部は、後述するホルダーカバー材３３の一側の端部が係合し得るように設けてあり、また、前記内折れ部３２ｉにはホルダーカバー材３３の他側の端部が係合し得るように設けてある。
なお、孔部３２ｅは、予め形成しておくのではなく、施工現場で電気ドリルを用いて形成してもよい。
【００５２】
目地材４は、床カバー材２と同じ材料を用いて、図７に示されるように、その上部４ａが前記凹面部２３の上端開口を塞ぐ幅に設けられてているとともに、この上部４ａよりも下部４ｂがそれよりも幅広となる断面形状で長尺に形成してある。目地材４の略下向きＣ字形の断面形状を呈する下部４ｂは、その両側から荷重を受けたときに潰れやすいように形成されており、この下部４ｂを潰して細幅にした状態で床カバー材２の上方から凹面部２３内に目地材４を押し込むことで、凹面部内２３に容易に装着することができるようになっている。下部４ｂはその内部にジョイントピン５を挿入できる大きさに形成してある。また、目地材４の表面には突筋４ｃを複数設けてあり、この突筋４ｃが凹面部２３の上面に設けた凹凸面に係合し引っ掛かることで凹面部２３内から取り外れにくくなっている。
【００５３】
これらの部材により構成される本形態のエキスパンションジョイント１の建物の床面Ｆへの取り付けは、以下の手順で行うことができる。
【００５４】
先ず、間隙Ｇを挟んで相対する躯体Ａ，Ｂの端部に、ホルダー部材３２，３２を間隙Ｇに沿って取り付ける。
ホルダー部材３２，３２の取り付けは、躯体Ａ，Ｂの端部の間隙Ｇに面した部分に形成された凹所Ａ１，Ｂ１にホルダー部材３２の取り付け面部３２ａを重ね、孔部３２ｄからアンカーボルト６を打ち込んで固定することにより行われる。なお、凹所Ａ１，Ｂ１は、ホルダー部材３２を固定した状態で前記縦支持面部３２ｂの先端が床面Ｆａ，Ｆｂと略同じかそれよりも若干低くなる深さに設けて、床カバー材２を取り付けたときに床面Ｆに段差ができないようにする。
ホルダー部材３２，３２を凹所Ａ１，Ｂ１に固定したならば、凹所Ａ１，Ｂ１のそれぞれの側面と縦支持面部３２ｂとの間にモルタル７を埋め込み、次いで、床面Ｆａ，Ｆｂの上面に表層材８を敷き重ねる。また、間隙Ｇ内に対向配置されるホルダー部材３２，３２のシート接続凹部３２ｇ，３２ｇに補助シート９の端部をそれぞれ係合させて、間隙Ｇ内に補助シート９を架設しておく。
【００５５】
前記ホルダー部材３２，３２を取り付ける処理工程の後、又はこの処理の前に或いはこれと並行して、床カバー材２の接続部２２，２２にレール部材３１，３１を取り付ける。
レール部材３１の取り付けは、床カバー材２の突起片部２８をレール部材３１のガイド凹部３１ｄ内に差し込んで係合させるとともに、ガイド凹部３１ｄの外面である鍵状面部３１ｅの表面に側面被着部２９を覆い被せて装着することに行われる。床カバー材２にレール部材３１，３１を装着した状態で、図８に示されるように、レール部材３１の上面部３１ｂには床カバー材２の上面被着部２９が重なって上面部３１ｂの上面が覆い隠される。また、上面被着部２９の縁部を把持して捲り上げることで（図９参照）、上面部３１ｂに形成された孔部３１ｆを露出させることができる。
床カバー材２の接続部２２，２２にレール部材３１，３１を装着したならば、両接続部２２，２２の一方の接続部２２とレール部材３１とを一体に固定する。レール部材３１の固定は、主面部３１ａに形成された孔部３１ｈから前記突起片部２８が係合したガイド凹部３１ｄに固着具１０を螺合して留め付けることにより行われる。他方の接続部２２に装着したレール部材３１は、突起片部２８がガイド凹部３１ｄ内をスライド移動できるようにしておく。
【００５６】
そして、床カバー材２の両接続部２２，２２に取り付けられたレール部材３１，３１を前記躯体Ａ，Ｂに固定されたホルダー部材３２，３２に接続し、床カバー材２を躯体Ａ，Ｂ間に架け渡して間隙Ｇを覆う。
レール部材３１，３１のホルダー部材３２，３２への取り付けは、先ず、ホルダー部材３２の横支持面部３２ｃにレール部材３１を載せてその下面部３１ｃを横支持面部３２ｃ上に重ねるとともに、ホルダー部材３２の縦支持面部３２ｂの上部に設けた凹部３２ｆにレール部材３１の上面部３１ｂの縁部を係合させる。このとき、レール部材３１の上面部３１ｂと下面部３１ｃに形成された孔部３１ｆ，３１ｇと、ホルダー部材３２の横支持面部３２ｃに形成された孔部３２ｅが鉛直に揃っていることを確認する。次いで、床カバー材２の上面被着部２９を捲り上げ、露出したレール部材３１の孔部３１ｆから固着具１０を挿入し、固着具１０の先端を上下に重なり合った孔部３１ｇ，３２ｅにあてがって螺合し、レール部材３１の下面部３１ｃとホルダー部材３２の横支持面部３２ｃを一体に留め付けて固定することにより行われる。
【００５７】
そして、間隙Ｇを覆うように躯体Ａ，Ｂ間に架設された床カバー材２の凹面部２３内に、目地材４を挿入設置することで、本形態の床用エキスパンションジョイント１の施工が完了する。
【００５８】
図１０は他の実施形態の床用エキスパンションジョイントを示しており、これは、床カバー材２の支持部３を構成するカバー支持部材として、前記レール部材３１とホルダー部材３２に加えてホルダーカバー材３３を用い、躯体Ａ，Ｂに固定されるホルダー部材３２の上方空間がホルダーカバー材３３で覆われるように構成したものである。
【００５９】
ホルダーカバー材３３は、前記レール部材３１及びホルダー部材３２と同様にアルミ型材により形成されており、図１１に示されるように、上面部３３ａの両側から側面部３３ｂ，３３ｃが下方へ屈曲した下向きコ字形の断面形状に形成されており、側面部３３ｂの端部には前述のホルダー部材３２の内折れ部３２ｉに係合する屈曲部３３ｄ、側面部３３ｃの端部には当該カバー材の内側で斜め上方へ突出した突片３３ｅと前記ホルダー部材３２の挿入枠３２ｈの縁部に係合する折れ部３３ｆをそれぞれ設けてある。
また、上面部３３ａには孔部３３ｇが形成され、突片３３ｅの前記孔部３３ｇの直下に位置する部分にも孔部３３ｈを形成してある。上面部３３ａの上面全体には防滑のための凹凸面が設けてある。
【００６０】
本形態の床用エキスパンションジョイント１の施工は、前記形態で行われたモルタル８の埋め込み処理に代えて、ホルダー材３２にホルダーカバー材３３を取り付けることにより行われる。
ホルダーカバー材３３の取り付けは、図１２に示されるように、躯体Ａ，Ｂの凹所Ａ１，Ｂ１に固定されたホルダー部材３２の内折れ部３２ｉにホルダーカバー材３３の屈曲部３３ｄを係合させるとともに、その側面部３３ｃをホルダー部材３２の主面部３２ａの内面に当接させた状態で、ホルダーカバー材３３の上面部３３ａを下方へ押し込み、当該カバー材が有する弾性により前記側面部３３ｃが主面部３２ａに沿って圧入することにより行われ、側面部３３ｃの端部に設けた折れ部３３ｆがホルダー部材３２の挿入枠３２ｈの縁部に係合することで、ホルダーカバー材３３がホルダー部材３２に固定される。
【００６１】
ホルダーカバー材３３が取り付けられたならば、その側面部３３ｂの外側の隙間部分にシーリング材を充填して床面Ｆを平坦に揃え、ホルダーカバー材３３の上面部３３ａの孔部３３ｇにカバー体（図示せず）を取り付けて塞ぐことで、本形態の床用エキスパンションジョイント１の施工が完了する。
【００６２】
また、メンテナンスの際は、図１３に示されるように、前記充填されていたシーリング材を除去して側面部３３ｂの外側を隙間部分とした状態で、前記ホルダーカバー材３３の上面部３３ａの孔部３３ｇからドライバーなどの棒体１２を挿入し、棒体１２の先端を突片３３ｅの孔部ｇに係合させた状態で、棒体１２の先端で突片３３ｅを引き上げる向きに棒体１２を操作すれば、前記内折れ部３２ｉと屈曲部３３ｄとの係合部を軸にホルダーカバー材３３が上方へ変位して、前記主面部３２ａ内に圧入していた側面部３３ｃが上方へ引き抜かれ、ホルダー部材３２に固定されていたホルダーカバー材３３を取り外すことが可能である。
なお、上面部３３ａの孔部３３ｇと突片３３ｅの孔部３３ｈは、予めホルダーカバー材３３に形成しておくのではなく、ホルダーカバー材３３をホルダー部材３２に取り付け、固定した後で、上面部３３ａと突片３３ｅにドリルを貫通させて設けるようにしてもよい。
【００６３】
図１４と図１６は、さらに他の実施形態の床用エキスパンションジョイント１を示しており、ともに床と内壁の取り合い部分の間隙Ｇに設置する形態のものである。
床と内壁の取り合い部分に設置する場合、前記ホルダー部材３２に代えて、内壁である躯体Ｂの凹所Ｂ１に、図１５に示されるホルダー部材３４を固定し、このホルダー部材３４と躯体Ａに固定されたホルダー部材３２に、前記形態と同様の手順で、床カバー材２に取り付けられたレール部材３１，３１を取り付けることで床用エキスパンションジョイント１の施工が完了する。前記形態で用いた、床カバー材２とこれを支持するレール部材３１、ホルダー部材３２及びホルダーカバー材３３は本形態でも共用可能である。
【００６４】
図１７及び図１８は、床カバー材２，２の端部同士を接続して継ぎ合わす場合の他の態様を示しており、これは、凹面部２３内に挿入することのできる幅の連結板１１を隣り合う床カバー材２，２の端部間に架け渡し、凹面部２３の上方から固着具１０を連結板１１にネジ入れ、凹面部２３の下側の挿通孔２５ａを貫通させて、その下の隔壁部２５に留め付けることで、連結板１１を介して床カバー材２，２の端部同士が接続されるようにしたものである。固着具１０をネジ入れる先に、連結板１０の取り付け部である中空な挿通孔２５ａが位置しているので、この挿通孔２５ａがガイドとなって、固着具１０の留め付けがしやすいようになっている。
この場合、床カバー材２の凹面部２３内に設置される目地材４は、図１９に示されるように、下部４ｂに切り欠け部４ｄを設けた形状のものが用いられ、前記連結板１１が留め付けられた部分に切り欠け部４ｄが重なるように配置して目地材４が取り付けられる。
また、床カバー材同士を継ぎ合わす別の態様の床用エキスパンションジョイントとして、構造物の床面に配された間隙を覆う被覆面部と、この被覆面部の両側に設けられていて前記間隙に臨む躯体の端部に設けられた支持部に接続する接続部を有して帯状に形成されていて、前記被覆面部から下方へ凹んだ凹面部を有して、ゴム弾性を有する材料を用いて弾性変形可能に形成された床カバー材を用い、
前記間隙に沿って複数の床カバー材が架設されているとともに、隣り合う床カバー材の端部間に両床カバー材の凹面部内に連結板を挿入して架け渡し、かつこれを凹面部内に固着具で留め付けて、隣り合う床カバー材同士が接続されていてもよい。
【００６５】
これら各形態の床用エキスパンションジョイント１によれば、地震などにより間隙Ｇの両側の躯体Ａ，Ｂが相対変位し、間隙Ｇの伸縮やずれが生じた場合、両躯体Ａ，Ｂの間隙Ｘ方向の変位は床面カバー材２が収縮又は伸長変形することで吸収し、間隙Ｙ方向の変位は床面カバー材２が両躯体Ａ．Ｂにそれぞれ取り付けられた支持部３，３に沿ってスライド移動して吸収することができ、また、両躯体Ａ，Ｂの間隙Ｚ方向の変位は、両躯体Ａ．Ｂの同方向の相対変位に追随して床カバー材２が弾性変形することで吸収することができる。
間隙Ｘ方向とＺ方向の変位は床カバー材２が変位方向に追従して収縮又は伸長変形することで、また、Ｙ方向の変位は床カバー材２が同方向に沿ってスライド移動して吸収することができるので、間隙Ｇを挟んで両躯体がＸ，Ｙ及びＺの何れの方向に相対変位しても、床カバー材２で間隙Ｇを覆った床面Ｆ内に欠損部ができることはない。また、床カバー材２がＸ方向に沿って収縮したときにその被覆面部２１が凹面部２２を起点として下向きに変形するように設けられているので、被覆面部２１内に凸状の段差ができることはない。躯体Ａ，Ｂの変位が生じた後でも床面Ｆは平坦に維持され、歩行者が欠損部に足を踏み入れたり段差部に躓いたりする危険はなく、歩行の安全を確保することが可能である。また、床カバー材２の凹面部２３内に目地材４を挿入設置することで、上方からかかる荷重に対する強度をより高くすることができて安全である。
【００６６】
なお、図示した床用エキスパンションジョイント１とその構成部材は、本発明の実施形態の一例を示すものであり、本発明はこれに限定されず、他の適宜な形態で構成することが可能である。
床カバー材２は、凹面部２３の両側に中空部２４，２４を配置した断面形状に設けたが、間隙Ｇの幅が狭く、床カバー材２に要求される可動量が小さい場合には、被覆面部２１内に凹面部２３が形成され、中空部２４，２４のない断面形状の床カバー材を用いてもよい。その場合、上方からの荷重に対する強度を確保するため、凹面部２３内には目地材４を挿入設置してあることが好ましい。
また、支持部３であるカバー支持部材は、レール部材３１とホルダー部材３２、さらにはホルダーカバー材３３と複数の部材により形成したが、これらを一体に設けた部材により構成されていてもよい。
【符号の説明】
【００６７】
１  床用エキスパンションジョイント、２  床カバー材、２１  被覆面部、２２  接続部、２３  凹面部、２４  中空部、３  支持部、３１  レール部材、３２  ホルダー部材、３３  ホルダーカバー材、３４  ホルダー部材、４  目地材、５  ジョイントピン、６  アンカーボルト、７  モルタル、８  表層材、９  補助シート、１０  固着具、１１  連結板、１２  棒体、Ａ，Ｂ  躯体、Ｇ  間隙（クリアランス）
【図１】
2019196587.tif 000003
【図２】
2019196587.tif 000004
【図３】
2019196587.tif 000005
【図４】
2019196587.tif 000006
【図５】
2019196587.tif 000007
【図６】
2019196587.tif 000008
【図７】
2019196587.tif 000009
【図８】
2019196587.tif 000010
【図９】
2019196587.tif 000011
【図１０】
2019196587.tif 000012
【図１１】
2019196587.tif 000013
【図１２】
2019196587.tif 000014
【図１３】
2019196587.tif 000015
【図１４】
2019196587.tif 000016
【図１５】
2019196587.tif 000017
【図１６】
2019196587.tif 000018
【図１７】
2019196587.tif 000019
【図１８】
2019196587.tif 000020
【図１９】
2019196587.tif 000021